(57)【要約】      （修正有）【課題】絶縁基板上に配列されて複数の操作子の操作状態をそれぞれ検出する複数の検出器を備えた電気回路基板を提供する。【解決手段】プリント基板（絶縁基板）５０の上面５０Ａに、複数の鍵スイッチ（検出器）５２ａ，５２ｂ，５２ｃを走査するための線群５６及び線群５７ａ，５７ｂ，５７ｃを、複数の鍵スイッチ５２ａ，５２ｂ，５２ｃを挟むように、複数の鍵スイッチ５２ａ，５２ｂ，５２ｃの配列方向に延設させて設ける。複数の鍵スイッチ５２ａ，５２ｂ，５２ｃの一端に線群５６を接続する。プリント基板５０の下面に線群を設け、複数の鍵スイッチ５２ａ，５２ｂ，５２ｃの他端と下面の線群の一端とをスルーホール６２ａ，６２ｂ，６２ｃで接続するとともに、下面の線群の他端と線群５７ａ，５７ｂ，５７ｃとをスルーホール６４ａ，６４ｂ，６４ｃで接続する。【選択図】図３Ａ
2016082188.tif 000002
【特許請求の範囲】
【請求項１】
平板状の絶縁基板と、
前記絶縁基板の一方の面に所定方向に沿って配列されて複数の操作子の操作状態をそれぞれ検出する複数の検出器であって、前記複数の操作子の操作状態を検出するための走査回路により走査される複数の検出器と、
前記絶縁基板の一方の面に前記所定方向に延設させて形成されていて、前記複数の検出器を所定の複数ずつの検出器を含む複数のブロックに分けた各ブロックに含まれる複数の検出器の一端側を前記各ブロックごとに共通に電気接続した複数の導線からなる第1線群と、
前記絶縁基板の一方の面に前記所定方向に延設させて形成されるとともに前記第１線群との間に前記複数の検出器を挟むように配置されていて、前記複数のブロックにそれぞれ含まれる１つずつの検出器の他端側を前記複数のブロックに対して共通に電気接続するための複数の導線からなる第２線群と、
前記絶縁基板の他方の面に配置されて、前記複数の検出器の他端側と前記第２線群とを電気接続するための第３線群と、
前記絶縁基板の一方の面から他方の面に貫通して、前記複数の検出器の他端側と前記第３線群の一端とをそれぞれ電気接続する複数の第１スルーホールと、
前記絶縁基板の一方の面から他方の面に貫通して、前記第２線群と前記第３線群の他端とをそれぞれ電気接続する複数の第２スルーホールとを備えたことを特徴とする電気回路基板。
【請求項２】
請求項１に記載の電気回路基板において、
前記複数の第１スルーホールを、前記複数の検出器の前記第２線群側の端部よりも前記第１線群側に配置したことを特徴とする電気回路基板。
【請求項３】
請求項１又は２に記載の電気回路基板において、
前記第３線群を、前記所定方向において前記第２スルーホールよりも前記第１スルーホールに近い側に、前記所定方向に延設された延設部分を有するように構成した電気回路基板。
【請求項４】
請求項１乃至３のうちのいずれか一つに記載の電気回路基板において、さらに、
前記絶縁基板の他方の面に形成されていて、前記走査回路からの前記複数の検出器を走査する信号を前記複数の検出器に導くための複数の導線からなる第４線群と、
前記絶縁基板の他方の面に形成されていて、前記複数の検出器の走査結果を表す信号を前記走査回路へ導くための複数の導線からなる第５線群と、
前記絶縁基板の一方の面から他方の面に貫通して、前記第1線群と前記第４線群とをそれぞれ電気接続する複数の第３スルーホールと、
前記絶縁基板の一方の面から他方の面に貫通して、前記第２線群と前記第５線群とをそれぞれ電気接続する複数の第４スルーホールとを備えたことを特徴とする電気回路基板。
【請求項５】
請求項１乃至４のうちのいずれか一つに記載の電気回路基板において、
前記複数の検出器を、前記複数の操作子の操作に応じてオン・オフするスイッチでそれぞれ構成し、
前記絶縁基板の他方の面にて前記第３線群にダイオードをそれぞれ介装させ、かつ
前記ダイオードを前記複数の検出器の前記第２線群側の端部よりも前記第１線群側に配置したことを特徴とする電気回路基板。
【請求項６】
請求項１乃至５のうちのいずれか一つに記載の電気回路基板において、
前記複数の操作子の各操作子に対して各操作子の操作状態をそれぞれ独立して検出する複数の検出器を前記絶縁基板の一方の面に前記所定方向と直交する方向に沿ってそれぞれ配置して、前記複数の操作子に対してそれぞれ設けられた複数の検出器を複数組の検出器でそれぞれ構成し、
前記第２線群を前記複数組の検出器に対応した複数組の第２線群でそれぞれ構成し、
前記第３線群を前記複数組の検出器に対応した複数組の第３線群でそれぞれ構成し、
前記複数の第１スルーホールを前記複数組の検出器に対応した複数組の第１スルーホールでそれぞれ構成し、
前記複数の第２スルーホールを前記複数組の検出器に対応した複数組の第２スルーホールでそれぞれ構成し、かつ
前記複数組の第１スルーホールを前記複数組の検出器の前記複数組の第２線群側の端部よりも前記第１線群側に配置したことを特徴とする電気回路基板。
【発明の詳細な説明】
【技術分野】
【０００１】
本発明は、絶縁基板上に配列されて複数の操作子の操作状態をそれぞれ検出する複数の検出器を備えた電気回路基板に関する。
【背景技術】
【０００２】
従来から、例えば下記特許文献１に示されているように、電子オルガン、電子ピアノ等の電子鍵盤楽器において、鍵盤の下方に複数の鍵にそれぞれ対応した鍵スイッチを備えた電気回路基板を配置して、演奏者の押離鍵操作による鍵の動作を検出することはよく知られている。具体的には、絶縁基板の一方の面に複数の鍵スイッチを配置し、複数の鍵スイッチを走査するために、複数の鍵スイッチを挟んで複数の鍵スイッチの配列方向に延設させて形成した第１及び第２線群を絶縁基板の一方の面に設けている。複数の鍵スイッチは複数のブロックに分けられ、第１線群は、各ブロックに含まれる複数の鍵スイッチの一方の接点に各ブロックごとに接続されて、絶縁基板の一方の面に設けた接続端子からの走査信号を各ブロックごとに鍵スイッチに供給する。第２線群は、複数のブロックにそれぞれ含まれる一つずつの鍵スイッチの他方の接点に複数のブロックに対して共通に接続されて、走査結果を表す信号を絶縁基板の一方の面に設けた接続端子に出力する。鍵スイッチの他方の接点と第２線群は、ダイオードを介装させたリード線（ジャンパ線）の両端を絶縁基板の他方の面から一方の面に貫通させて、リード線の両端を鍵スイッチの他方の接点と第２線群にそれぞれはんだ付け接続されている。
【先行技術文献】
【特許文献】
【０００３】
【特許文献１】特許第２９１０２１２号公報
【発明の概要】
【０００４】
上記のように構成した従来の電気回路基板の製造においては、リード線の両端を絶縁基板の他方の面から一方の面に貫通させて、リード線の両端を鍵スイッチの他方の接点と第２線群にそれぞれはんだ付け接続するために、多くの手間がかかり、電気回路基板の製造における作業効率が悪くなるという問題があった。また、近年、電気回路部品の集積化及び小型化により、鍵スイッチを走査するための走査回路の全部又は一部を構成する回路部品、走査回路のために必要な回路部品などを電気回路基板に設けることも考えられ始めている。一方、複数の鍵スイッチは複数の鍵に対応して電気回路基板に配列されるために、複数の鍵スイッチの配列方向における電気回路基板の長さは非常に長くなる。たとえ、電気回路基板を複数に分割したとしても、各電気回路基板の前記配列方向の長さは長くなる。そのために、前述のような種々の回路部品を電気回路基板に設けようとすると、電気回路基板の長手方向と直交する方向の幅もある程度大きくなり、電気回路基板の面積が極めて大きくなり、電気回路基板の製造コストが高くなるという問題もある。
【０００５】
本発明は、前記問題に対処するためになされたもので、その目的は、作業効率よくかつ低コストで製造できるようにした電気回路基板を提供することにある。なお、下記本発明の各構成要件の記載においては、本発明の理解を容易にするために、実施形態の対応箇所の符号を括弧内に記載しているが、本発明の構成要件は、実施形態の符号によって示された対応箇所の構成に限定解釈されるべきものではない。
【０００６】
前述した目的を達成するため、本発明の特徴は、平板状の絶縁基板（５０）と、絶縁基板の一方の面（５０Ａ）に所定方向に沿って配列されて複数の操作子（３１ｗ，３１ｂ）の操作状態をそれぞれ検出する複数の検出器（４０，５２ａ，５２ｂ，５２ｃ）であって、複数の操作子の操作状態を検出するための走査回路（５５）により走査される複数の検出器と、絶縁基板の一方の面に前記所定方向に延設させて形成されていて、複数の検出器を所定の複数ずつの検出器を含む複数のブロックに分けた各ブロックに含まれる複数の検出器の一端側を各ブロックごとに共通に電気接続した複数の導線からなる第1線群（５６）と、絶縁基板の一方の面に前記所定方向に延設させて形成されるとともに第１線群との間に複数の検出器を挟むように配置されていて、複数のブロックにそれぞれ含まれる１つずつの検出器の他端側を複数のブロックに対して共通に電気接続するための複数の導線からなる第２線群（５７，５７ａ，５７ｎ，５７ｃ）と、絶縁基板の他方の面に配置されて、複数の検出器の他端側と第２線群とを電気接続するための第３線群（６７ａ，６７ｎ，６７ｃ）と、絶縁基板の一方の面から他方の面に貫通して、複数の検出器の他端側と第３線群の一端とをそれぞれ電気接続する複数の第１スルーホール（６２ａ，６２ｂ，６２ｃ）と、絶縁基板の一方の面から他方の面に貫通して、第２線群と第３線群の他端とをそれぞれ電気接続する複数の第２スルーホール（６４ａ，６４ｂ，６４ｃ）とを備えたことにある。
【０００７】
この場合、例えば、絶縁基板は複数の検出器の配列方向を長手方向とする長方形状であり、前記所定方向は長手方向である。また、複数の操作子は、例えば、それぞれ電子鍵盤楽器の鍵であり、前記所定の方向は複数の鍵の配列方向である。また、複数の検出器は、例えば、操作子の操作状態を検出するスイッチ、センサなどである。さらに、この場合、複数の操作子の各操作子に対して各操作子の操作状態をそれぞれ独立して検出する複数の検出器を絶縁基板の一方の面に前記所定方向と直交する方向に沿ってそれぞれ配置して、複数の操作子に対してそれぞれ設けられた複数の検出器を複数組の検出器でそれぞれ構成し、第２線群を複数組の検出器に対応した複数組の第２線群でそれぞれ構成し、第３線群を複数組の検出器に対応した複数組の第３線群でそれぞれ構成し、複数の第１スルーホールを複数組の検出器に対応した複数組の第１スルーホールでそれぞれ構成し、複数の第２スルーホールを複数組の検出器に対応した複数組の第２スルーホールでそれぞれ構成するとよい。
【０００８】
上記のように構成した電気回路基板においては、走査回路から複数の操作子の操作状態を検出するための走査信号を第１線群に入力すれば、複数の検出器の走査結果を表す信号を、複数の第１スルーホール、第３線群及び複数の第２スルーホールを介して、第２線群に出力させることができ、複数の検出器の走査が可能となる。この場合、第１乃至第３線群、特に第３線群は、プリント配線技術により絶縁基板上にパターン形成すればよい。また、複数の検出器の他端側と第３線群の一端とを電気接続するための第１スルーホール、及び第２線群と第３線群の他端とを電気接続するための第２スルーホールを、絶縁基板に設ければよい。したがって、本発明の特徴によれば、電気回路基板を作業効率よく簡単に製造できる。
【０００９】
また、本発明の他の特徴は、複数の第１スルーホールを、複数の検出器の第２線群側の端部よりも第１線群側に配置したことにある。この場合、複数の第１スルーホールを、第１線群に近づけるほどよい。また、前述のように、複数の検出器（スイッチ）を複数組の検出器（スイッチ）でそれぞれ構成した場合も、複数組の第１スルーホールを複数組の検出器（スイッチ）の第２線群側の端部よりも第１線群側に配置するとよい。この場合も、複数組の第１スルーホールを、第１線群に近づけるほどよい。
【００１０】
前記本発明の他の特徴によれば、第１線群から第２線群までの距離を短くでき、電気回路基板の第１及び第２線群の延設方向と直交する方向の幅を短くでき、電気回路基板の製造コストを下げることができる。また、複数（複数組）の第１スルーホールを、電気回路基板の長手方向と直交する方向において第１線群側に近づけて位置させることにより、電気回路基板の他方の面において第１スルーホールと第２スルーホールとの間に大きなスペースを確保することができる。そして、前記確保したスペースに走査回路に関係した回路部品、又はその他の回路部品を配置させることができるので、電気回路基板の前記直交する方向の長さを充分に短くすることができる。
【００１１】
また、本発明の他の特徴は、第３線群を、前記所定方向において第２スルーホールよりも第１スルーホールに近い側に、前記所定方向に延設された延設部分を有するように構成したことにある。より具体的には、例えば、第３線群は、隣接する検出器に対応した第１スルーホールの第２線群側であって、第1スルーホールの近傍を通り、前記所定方向で隣接する検出器に対応した第１スルーホールの位置を超えて延設される延設部分を有している。
【００１２】
前記本発明の他の特徴によれば、電気回路基板の他方の面における第１及び第２線群の延設方向の適宜箇所に、第１スルーホールと第２スルーホールとの間に僅かな第３線群しか存在しないようにすることができる。したがって、電気回路基板の他方の面において、電気回路基板の長手方向の適宜箇所に、第１スルーホールと第２スルーホールとの間であって、電気回路基板の長手方向に大きな長さを有するスペースを確保することができる。そして、前記確保したスペースに走査回路に関係した回路部品、又はその他の回路部品を配置させることができる。
【００１３】
また、本発明の他の特徴は、絶縁基板の他方の面に形成されていて、走査回路からの複数の検出器を走査する信号を複数の検出器に導くための複数の導線からなる第４線群（６６）と、絶縁基板の他方の面に形成されていて、複数の検出器の走査結果を表す信号を走査回路へ導くための複数の導線からなる第５線群（６８ａ，６８ｂ，６８ｃ）と、絶縁基板の一方の面から他方の面に貫通して、第1線群と第４線群とをそれぞれ電気接続する複数の第３スルーホール（６１）と、絶縁基板の一方の面から他方の面に貫通して、第２線群と第５線群とをそれぞれ電気接続する複数の第４スルーホール（６５ａ，６５ｂ，６５ｃ）とを備えたことにある。
【００１４】
前記本発明の他の特徴においては、第４線群に走査回路から複数の操作子の操作状態を検出するための走査信号を入力すれば、走査信号は、複数の第３スルーホール及び第１線群を介して複数の検出器に供給される。また、複数の検出器の走査結果を表す信号を、複数の第１スルーホール、第３線群、複数の第２スルーホール、第２線群及び第４スルーホールを介して、第５線群に出力させることができ、複数の検出器の走査が可能となる。この場合も、第１乃至第３線群に加えて、第４及び第５線群をプリント配線技術により絶縁基板上にパターン形成すればよい。また、第１及び第２スルーホールに加えて、第３及び第４スルーホールを絶縁基板に設ければよい。したがって、この本発明の他の特徴によっても、電気気回路基板を作業効率よく簡単に製造できる。さらに、電気回路基板の他方の面には第３乃至第５線群しか設けられておらず、大きなスペースを確保できるので、走査回路自体を電気回路基板の他方の面に設けたり、走査回路に接続されるコネクタなどの回路部品を電気回路基板の他方の面に設けたりすることができる。その結果、複数の検出器によって検出された複数の操作子の操作状態を表す信号を、電気回路基板に設けた回路部品から電気回路基板に設けられていない外部回路に直接的に出力することができ、電気回路基板と外部回路との配線が簡略化される。
【００１５】
また、本発明の他の特徴は、複数の検出器を、複数の操作子の操作に応じてオン・オフするスイッチでそれぞれ構成し、絶縁基板の他方の面にて第３線群にダイオード（５３ａ，５３ｂ，５３ｃ）をそれぞれ介装させ、かつダイオードを複数の検出器の第２線群側の端部よりも第１線群側に配置したことにある。
【００１６】
前記本発明の他の特徴によれば、スイッチによる複数の操作子の操作状態が走査回路により正確に検出される。また、ダイオードは複数の検出器の第２線群側の端部よりも第１線群側に配置されているので、電気回路基板の第１及び第２線群の延設方向に直交する方向の幅を短くでき、電気回路基板の製造コストを下げることができる。そして、この場合も、ダイオードを、電気回路基板の前記直交する方向において第１線群側に近づけて位置させれば、電気回路基板の他方の面において前記直交する方向に大きなスペースを確保することができる。そして、前記確保したスペースに走査回路に関係した回路部品、又はその他の回路部品を配置させることができるので、電気回路基板の前記直交する方向の長さを充分に短くすることもできる。
【００１７】
また、本発明の他の特徴は、複数の検出器は、電気回路基板の一方の面に固定されて内部空間を有する弾性部材（４０）で構成され、複数の第２スルーホールを、前記内部空間に連通する位置に設けたことにある。これによれば、複数の検出器が変形する際には、前記内部空間が複数の第２スルーホールを介して外部空間に連通して、前記内部空間内の空気が外部に流出されるとともに、外部からの空気が前記内部空間に流入するので、複数の検出器の変形動作がスムーズに行われる。
【図面の簡単な説明】
【００１８】
【図１】本発明の一実施形態に係る電子鍵盤楽器における鍵盤部分の概略側面図である。
【図２】（Ａ）は図１のラバースイッチ部品の平面図であり、（Ｂ）は（Ａ）のｂ−ｂ線に沿って見たラバースイッチ部品の断面図である。
【図３Ａ】プリント基板の一部破断上面図である。
【図３Ｂ】プリント基板の一部破断下面図である。
【図４】プリント基板に設けた電気回路装置の回路図である。
【発明を実施するための形態】
【００１９】
以下、本発明の一実施形態について図面を用いて説明する。図１は、本発明の一実施形態に係る電子鍵盤楽器の鍵盤部分を右から見た概略側面図である。なお、図１においては、鍵盤部分の前後方向を左右方向とし、鍵盤部分の上下方向を上下方向とする。
【００２０】
電子鍵盤楽器は、演奏者によって押離鍵操作される複数の白鍵３１ｗ及び複数の黒鍵３１ｂを備えている。なお、本実施形態においては、白鍵３１ｗ及び黒鍵３１ｂの合計数は、Ａ０音〜Ｃ８音に渡る「８８」である。白鍵３１ｗは、前後方向に長尺状に形成されるとともに下方を開放させた断面コ字状に形成されて、鍵フレーム３２の平板状の上板部３２ａ上に配置されている。鍵フレーム３２は、上板部３２ａの前端及び後端から下方に延設された平板上の脚部３２ｂ，３２ｃを有し、脚部３２ｂ，３２ｃの下端部分にて楽器内に設けたフレームＦＲ上に固定されている。鍵フレーム３２の上板部３２ａの後端部の上面上には、白鍵３１ｗの内側にて対向する一対の板状の鍵支持部３３が立設固定されている。白鍵３１ｗは、この鍵支持部３３により揺動可能に支持され、前端部を上下方向に変位させる。黒鍵３１ｂは、前部上面が高くなっている形状こそ異なるが、他の構成は白鍵３１ｗと同様である。そして、黒鍵３１ｂも、鍵支持部３３により揺動可能に支持されて、揺動により前端部を上下方向に変位させる。
【００２１】
鍵フレーム３２の上板部３２ａの上面には、白鍵３１ｗの前端部の下方位置にて鍵ガイド３４ｗが立設しており、黒鍵３１ｂの前端部の下方位置にて鍵ガイド３４ｂが立設している。鍵ガイド３４ｗ，３４ｂは白鍵３１ｗ及び黒鍵３１ｂ内にそれぞれ摺動可能に侵入しており、白鍵３１ｗ及び黒鍵３１ｂは、それらの上下方向の揺動時に左右方向に変位しないようになっている。
【００２２】
白鍵３１ｗ及び黒鍵３１ｂの後部の下方には、鍵フレーム３２の上板部３２ａとの間にそれぞれ組み込まれたスプリング３５が設けられている。このスプリング３５は、白鍵３１ｗ及び黒鍵３１ｂの押鍵操作に対して反力を付与する。
【００２３】
白鍵３１ｗは、その前端部から下方に延設させた延設部３１ｗ１を備え、延設部３１ｗ１の下端には前方に突出させた係合部が設けられている。係合部は、鍵フレーム３２の上板部３２ａに設けた貫通孔を介して、上板部３２ａの下方に上方から侵入している。また、鍵フレーム３２の上板部３２ａの前端部下面には上限ストッパ部材３６ｗが設けられている。上限ストッパ部材３６ｗは、フェルトのような緩衝部材により構成されており、白鍵３１ｗの延設部３１ｗ１の係合部との当接により、白鍵３１ｗの前端部の上方への変位を規制する。また、鍵フレーム３２の上板部３２ａの前端部上面には下限ストッパ部材３７ｗが設けられている。下限ストッパ部材３７ｗも、フェルトのような緩衝部材により構成されており、白鍵３１ｗの前端部下面との当接により、白鍵３１ｗの前端部の下方への変位を規制する。
【００２４】
黒鍵３１ｂは、その前端部から下方に延設させた延設部３１ｂ１を備え、延設部３１ｂ１の下端には後方に突出させた係合部が設けられている。係合部は、鍵フレーム３２の上板部３２ａに設けた貫通孔を介して、上板部３２ａの下方に上方から侵入している。また、鍵フレーム３２の上板部３２ａの中間部下面には上限ストッパ部材３６ｂが設けられている。上限ストッパ部材３６ｂも、フェルトのような緩衝部材により構成されており、黒鍵３１ｂの延設部３１ｂ１の係合部との当接により、黒鍵３１ｂの前端部の上方への変位を規制する。また、鍵フレーム３２の上板部３２ａの中間部上面には下限ストッパ部材３７ｂが設けられている。下限ストッパ部材３７ｂも、フェルトのような緩衝部材により構成されており、黒鍵３１ｂの前端部下面との当接により、黒鍵３１ｂの前端部の下方への変位を規制する。
【００２５】
また、鍵フレーム３２の上板部３２ａの下面には、プリント基板５０が上板部３２ａと平行になるように固定されている。プリント基板５０の上面には、ラバースイッチ部品４０が組付けられている。ラバースイッチ部品４０及びプリント基板５０については、詳しく後述する。白鍵３１ｗ及び黒鍵３１ｂには、それらの下面から突出した第１乃至第３押圧部３１ｗ２〜３１ｗ４，３１ｂ２〜３１ｂ４がそれぞれ設けられている。第１乃至第３押圧部３１ｗ２〜３１ｗ４，３１ｂ２〜３１ｂ４は、この順すなわち後方から前方に位置するほど、順に短くなるように構成されている。
【００２６】
ラバースイッチ部品４０は、ゴムなどの弾性部材により一体形成され、白鍵３１ｗ及び黒鍵３１ｂの押鍵時に原形から弾性変形するとともに、白鍵３１ｗ及び黒鍵３１ｂの離鍵時には原形に復帰して、白鍵３１ｗ及び黒鍵３１ｂの押離鍵動作を検出する鍵スイッチの一部を構成する。ラバースイッチ部品４０は、図２に示すように、数個の白鍵３１ｗ及び黒鍵３１ｂに対して共通に設けられて、長方形状に薄肉に形成されたべース部４１を備えている。べース部４１上には、白鍵３１ｗ及び黒鍵３１ｂにそれぞれ対応した複数の本体部４２が形成されている。各本体部４２は、その上下方向の長さが後端部から前端部に向かうに従って大きくなるように平面視で長円状に形成され、上端周縁部の断面は円弧状であって、上端周縁部から下方に向かって若干外側に広がるように傾斜させて薄肉に形成されている。したがって、白鍵３１ｗ及び黒鍵３１ｂに対応した各本体部４２の内部には、ほぼ閉鎖された空間がそれぞれ独立して形成されることになる。この空間を外部と連通させるために、隣合う本体部４２間のべース部４１の底面及び両端の本体部４２の外側のべース部４１の底面には、縦断面形状を方形とする図２（Ａ）の上下方向に延設した溝状の空気通路４１ｂが設けられている。
【００２７】
各本体部４２の上面には、上下方向の長さが後端部から前端部に向かうに従って大きくなるように傾斜させた比較的厚肉のトップ部４３が設けられている。トップ部４３の下端には、内周面をトップ部４３の貫通孔４３ａ，４３ｂ，４３ｃの内周面に一致させて下方にお椀状（ドーム状）に突出させた薄肉の３つの逆ドーム部４４ａ，４４ｂ，４４ｃが設けられている。逆ドーム部４４ａ，４４ｂ，４４ｃの下端には、円柱状に比較的厚肉に形成した突出部４５ａ，４５ｂ，４５ｃが設けられている。突出部４５ａ，４５ｂ，４５ｃの下面には、導電性材料が塗布されて円形の第１乃至第３可動接点部４６ａ，４６ｂ，４６ｃが形成されている。ベース部４１の下面には、各本体部４２の外側位置にて円柱状の複数の脚部４７が下方に延設されている。
【００２８】
このように構成されたラバースイッチ部品４０は、脚部４７をプリント基板５０に設けた取付け孔５１（図３Ａ，３Ｂ参照）に圧入することにより、プリント基板５０の上面５０Ａに固定される。このラバースイッチ部品４０をプリント基板５０上に固定した状態では、第１乃至第３可動接点部４６ａ，４６ｂ，４６ｃが、この順に、プリント基板５０の上面に近い位置に対向する。このプリント基板５０上の対向位置には、詳しくは後述する第１乃至第３固定接点パターン群５２ａ，５２ｂ，５２ｃがそれぞれ位置する。また、白鍵３１ｗの第１乃至第３押圧部３１ｗ２〜３１ｗ４及び黒鍵３１ｂの第１乃至第３押圧部３１ｂ２〜３１ｂ４が、逆ドーム部４４ａ，４４ｂ，４４ｃにそれぞれ対向して位置する。したがって、白鍵３１ｗ及び黒鍵３１ｂの離鍵状態では、第１乃至第３可動接点部４６ａ，４６ｂ，４６ｃは第１乃至第３固定接点パターン群５２ａ，５２ｂ，５２ｃとは離れて位置するが、白鍵３１ｗ又は黒鍵３１ｂが押鍵された際には、押鍵された白鍵３１ｗ又は黒鍵３１ｂの第１乃至第３可動接点部４６ａ，４６ｂ，４６ｃは第１乃至第３固定接点パターン５２ａ，５２ｂ，５２ｃにこの順に当接する。そして、押鍵された白鍵３１ｗ又は黒鍵３１ｂが離鍵されると、離鍵された白鍵３１ｗ又は黒鍵３１ｂの第１乃至第３可動接点部４６ａ，４６ｂ，４６ｃの第１乃至第３固定接点パターン５２ａ，５２ｂ，５２ｃに対する当接が、前記押鍵の場合とは逆順で解除される。
【００２９】
このようにラバースイッチ部品４０が固定されるプリント基板５０には、各種電気部品が配置されているとともに、電気回路パターンが形成されている。このプリント基板５０の構成の理解を容易にするために、プリント基板５０について詳しく説明する前に、プリント基板５０上の電気回路装置の機能を説明しておく。
【００３０】
図４は、プリント基板５０上の電気回路装置による電気回路図を示している。この電気回路は、複数の白鍵３１ｗ及び黒鍵３１ｂにそれぞれ対応した数（本実施形態では８８個）の第１乃至第３鍵スイッチ群５２ａ〜５２ｃを備えている。第１乃至第３鍵スイッチ群５２ａ〜５２ｃは、６個ずつの第１乃至第１５ブロックBL1〜BL15に分割されてマトリクス状に接続されている。具体的には、本実施形態の８８個の白鍵３１ｗ及び黒鍵３１ｂはＡ０音〜Ｃ８音に対応しているので、各１オクターブ内の隣合う６音（Ａ音〜Ｄ音）を奇数番号のブロックとし、各オクターブ内の残りの隣合う６音（Ｄ＃音〜Ｇ＃音）を偶数番号のブロックとしている。そして、本実施形態では、各ブロック内の前記６音（Ａ音〜Ｄ音、Ｄ＃音〜Ｇ＃音）をそれぞれ第１乃至第６ノートNT1〜NT6とする。ただし、第１５ブロックBL15は、４音（Ａ音〜Ｃ音）である。また、図４においては、第１乃至第３鍵スイッチ群を符号５２ａ，５２ｂ，５２ｃで表しているが、これは後述する図３Ａ及び図３Ｂの符号と合わせるためで、電気回路的には、第１乃至第３鍵スイッチ群５２ａ，５２ｂ，５２ｃは、前記ラバースイッチ部品４０の第１乃至第３可動接点部４６ａ，４６ｂ，４６ｃと前記第１乃至第３固定接点パターン群５２ａ，５２ｂ，５２ｃとの組み合わせに対応する。
【００３１】
第１乃至第１５ブロックBL1〜BL15にそれぞれ含まれる第１乃至第６ノートNT1〜NT6にそれぞれ対応した６個の第１鍵スイッチ群５２ａ、第２鍵スイッチ群５２ｂ及び第３鍵スイッチ群５２ｃは、各ブロック毎に共通にブロック線群Ｂ１〜Ｂ１５にそれぞれ接続されている。各ブロック内の第１乃至第６ノートNT1〜NT6にそれぞれ対応した６個の第１鍵スイッチ群５２ａは、第1ダイオード群５３ａを介して第１ノート線群Ｎ１１〜Ｎ１６にそれぞれ接続されている。第１ノート線群Ｎ１〜Ｎ１６は、それぞれ第１抵抗群５４ａを介して正電圧源＋Ｖに接続されている。各ブロック内の第１乃至第６ノートNT1〜NT6にそれぞれ対応した６個の第２鍵スイッチ群５２ｂは、第２ダイオード群５３ｂを介して第２ノート線群Ｎ２１〜Ｎ２６にそれぞれ接続されている。第２ノート線群Ｎ２１〜Ｎ２６は、それぞれ第２抵抗群５４ｂを介して正電圧源＋Ｖに接続されている。各ブロック内の第１乃至第６ノートNT1〜NT6にそれぞれ対応した６個の第３鍵スイッチ群５２ｃは、第３ダイオード群５３ｃを介して第３ノート線群Ｎ３１〜Ｎ３６にそれぞれ接続されている。第３ノート線群Ｎ３１〜Ｎ３６は、それぞれ第３抵抗群５４ｃを介して正電圧源＋Ｖに接続されている。
【００３２】
これらのブロック線群Ｂ１〜Ｂ１５及び第1乃至第３ノート線群Ｎ１１〜Ｎ１６，Ｎ２１〜Ｎ２６，Ｎ３１〜Ｎ３６は、プリント基板５０上に設けた走査回路５５に接続されている。走査回路５５は、集積回路により構成されており、マイクロコンピュータ、出力インターフェース回路及び入力インターフェース回路を備えているとともに、コンデンサ、抵抗、コイルなど他の周辺電気回路部品などを備えている。
【００３３】
マイクロコンピュータは、ＣＰＵ、タイマ、ＲＯＭ、ＲＡＭなどからなり、プログラム処理により、第１乃至第３鍵スイッチ群５２ａ，５２ｂ，５２ｃを走査する。具体的には、出力インターフェース回路内に設けたデコーダで第１乃至第１５ブロックBL1〜BL15を表す２値信号をデコードして、出力インターフェース回路内に設けたスイッチング回路を順次オン制御することにより、ブロック線群Ｂ１〜Ｂ１５を順次接地させる。一方、ブロック線群Ｂ１〜Ｂ１５の一つを接地している間に、入力インターフェース回路を介して第１乃至第６ノートにそれぞれ対応した第１乃至第３ノート線群Ｎ１１〜Ｎ１６，Ｎ２１〜Ｎ２６，Ｎ３１〜Ｎ３６の電位を順次入力する。そして、入力した電位が接地電位であれば、接地したブロック線に対応したブロック（第１乃至第１５ブロックBL1〜BL15のうちのいずれかのブロック）であって、接地電位を入力した第１ノート線（又は第２ノート線又は第３ノート線）に対応したノート（第１乃至第６ノートNT1〜NT6のうちのいずれかのノート）に対応した鍵スイッチがオンしたと判定する。それ以外の鍵スイッチはオフと判定する。
【００３４】
ここで、第１乃至第３鍵スイッチ群５２ａ，５２ｂ，５２ｃの役割の一例を説明しておく。前述のように、白鍵３１ｗ又は黒鍵３１ｂが押鍵されると、押鍵された白鍵３１ｗ又は黒鍵３１ｂの第１乃至第３可動接点部４６ａ，４６ｂ，４６ｃは第１乃至第３固定接点パターン５２ａ，５２ｂ，５２ｃにこの順に当接する。すなわち、図４における第１乃至第３鍵スイッチ５２ａ，５２ｂ，５２ｃは、この順にオフからオンに変化する。そして、押鍵された白鍵３１ｗ又は黒鍵３１ｂが離鍵されると、離鍵された白鍵３１ｗ又は黒鍵３１ｂの第１乃至第３可動接点部４６ａ，４６ｂ，４６ｃの第１乃至第３固定接点パターン５２ａ，５２ｂ，５２ｃに対する当接が、前記押鍵の場合とは逆順で解除される。すなわち、図４における第１乃至第３鍵スイッチ５２ａ，５２ｂ，５２ｃは、逆順にオンからオフに変化する。
【００３５】
この場合、第２鍵スイッチ５２ｂがオンしてから第３鍵スイッチ５２ｃがオンするまでの時間が鍵タッチ強さとして利用され、第３鍵スイッチ５２ｃがオンした時点が楽音の発生開始制御に利用される。したがって、プリント基板５０上の走査回路５５が第２及び第３鍵スイッチ５２ｂ，５２ｃのオンタイミングをそれぞれ楽音信号の発生制御用の外部回路に出力すれば、外部回路にて、鍵タッチ強さが検出され、かつ楽音の発生が制御されるとともに、発生楽音の音量、音色などが前記検出された鍵タッチ強さに応じて制御される。なお、走査回路５５に鍵タッチ強さの検出の余裕があれば、前記鍵タッチ強さの検出結果を外部回路に出力するようにしてもよい。また、第１鍵スイッチがオフした時点が発生楽音（例えば、減衰音）の減衰制御に利用される。したがって、走査回路５５が第１鍵スイッチ５２ａのオフタイミングを楽音信号の発生制御用の外部回路に出力すれば、外部回路にて、発生楽音の減衰速度、減衰時の音色などが制御される。
【００３６】
次に、本発明に直接関係するプリント基板５０の構成について詳しく説明する。図３Ａは、プリント基板５０の一部破断上面図であり、図３Ｂは図３Ａの上面図に対応したプリント基板５０の一部破断下面図である。なお、図３Ｂの下面図においては、プリント基板５０の上面（表面）の位置と対向するプリント基板５０の下面（裏面）の位置が図３Ａの上面図と重なるように示している。
【００３７】
プリント基板５０は、平板状かつ長方形状に形成された絶縁基板上に、種々の導線、電気回路部品などを設けたものであり、本発明の電気回路基板に相当する。本明細書では、プリント基板５０は絶縁基板と同等な部材として解釈される。プリント基板５０は、その長手方向（以下、左右方向という）を白鍵３１ｗ及び黒鍵３１ｂの配列方向とし、前記長手方向と直交する方向を各白鍵３１ｗ及び黒鍵３１ｂの延設方向としている。以下、この直交する方向を前後方向といい、図示下側を前側とするとともに図示上側を後側とする。プリント基板５０の後端部及び前後方向において中央よりも若干前方には、ラバースイッチ部品４０の複数の脚部４７を圧入させるためのプリント基板５０を上下方向に貫通した円形の複数の取付け孔５１が設けられている。なお、プリント基板５０は、全ての白鍵３１ｗ及び黒鍵３１ｂに共通の一枚の基板で構成してよいし、長手方向において複数に分割した複数の基板で構成してもよい。複数の基板で構成する場合、隣合うプリント基板５０の長手方向の端部にそれぞれコネクタを設けるとともに、一対のコネクタ間を導線で連結するようにすればよい。
【００３８】
最初に、プリント基板５０の上面５０Ａの構成について説明すると、上面５０Ａには、第１乃至第３固定接点パターン群５２ａ，５２ｂ，５２ｃが設けられている。複数の白鍵３１ｗ及び黒鍵３１ｂにそれぞれ対応した第１乃至第３固定接点パターン群５２ａ，５２ｂ，５２ｃは、プリント基板５０の左右方向に沿って各白鍵３１ｗ（又は各黒鍵３１ｂ）の下方に位置する。各白鍵３１ｗ（又は各黒鍵３１ｂ）に対応した各組の第１乃至第３固定接点パターン５２ａ，５２ｂ，５２ｃは、プリント基板５０の前後方向に沿って配置されている。この場合、第１乃至第３固定接点パターン５２ａ，５２ｂ，５２ｃは、プリント基板５０の前後方向において、後側に比較的狭いスペースを残し、かつ前側に比較的広いスペースを残している。そして、ラバースイッチ部品４０を、その脚部４７を取付け孔５１に圧入してプリント基板５０に固定した状態では、各組の第１乃至第３固定接点パターン５２ａ，５２ｂ，５２ｃには各組の第１乃至第３可動接点部４６ａ，４６ｂ，４６ｃがそれぞれ対向する。
【００３９】
第１乃至第３固定接点パターン群５２ａ，５２ｂ，５２ｃは、プリント基板５０の上面５０Ａ上に、プリント配線技術によりパターン形成した銅箔上にカーボンを被覆して構成されている。後述する導線パターンで形成した他の種々の線群も同様に構成される。ただし、他の線群（及び導線パターン）の場合には、ランド部分を除いて絶縁膜で被覆されているが、第１乃至第３固定接点パターン群５２ａ，５２ｂ，５２ｃは絶縁膜で被覆されていない。第１乃至第３固定接点パターン群５２ａ，５２ｂ，５２ｃは、Ｕ字状部分を有する一対のパターンで形成され、互いのパターンの凸状部を左右方向において対向させている。これにより、第１乃至第３可動接点部４６ａ，４６ｂ，４６ｃの当接により、一対のパターン間が導通してスイッチ機能を果たす。
【００４０】
また、プリント基板５０の上面における第１乃至第３固定接点パターン群５２ａ，５２ｂ，５２ｃよりも後側位置及び前側位置には、線群５６及び線群５７がそれぞれ設けられている。線群５６，５７も、導線パターンにより形成されて、左右方向に延設されている。
【００４１】
線群５６は、隣合う６個ずつの白鍵３１ｗ及び黒鍵３１ｂに対応した第１乃至第１５ブロックＢＬ１〜ＢＬ１５にそれぞれ対応するもので、第１乃至第３固定接点パターン群５２ａ，５２ｂ，５２ｃを第１乃至第１５ブロックＢＬ１〜ＢＬ１５に分割したブロックごとに、１本ずつ１ブロックに属する第１乃至第３固定接点パターン群５２ａ，５２ｂ，５２ｃに対応する。ただし、第１５ブロックＢＬ１５は、４個の白鍵３１ｗ及び黒鍵３１ｂのみに対応する。そして、線群５６のうちの１本の線が、導線パターン５８を介して１ブロックに属する第１乃至第３固定接点パターン群５２ａ，５２ｂ，５２ｃの一端５２ａ１，５２ｂ１，５２ｃ１に共通に電気接続される。すなわち、線群５６は、線群５６にそれぞれ対応した導線パターン群５８を介して、ブロックごとに第１乃至第３固定接点パターン群５２ａ，５２ｂ，５２ｃにそれぞれ接続されている。また、線群５６のそれぞれには、線群５６のプリント基板５０の下面５０Ｂの部品との電気接続を可能とするためのスルーホール６１が設けられている。なお、図３Ａ及び図３Ｂでは、２つのスルーホール６１のみが示されている。スルーホール６１は、プリント基板５０に設けた貫通孔の内側面に銅、銀などの導電性材料を付着させて、プリント基板５０の上面５０Ａと下面５０Ｂとを電気接続するものであり、付着させた導電性材料の内側面に円柱状の空間（貫通孔）が形成されている。なお、後述する他のスルーホールも、前記スルーホール６１と同様に構成されている。
【００４２】
また、第１固定接点パターン群５２ａの各右側であって、第１固定接点パターン群５２ａの前後方向における中央位置から後方には、第１乃至第３固定接点パターン群５２ａ，５２ｂ，５２ｃに対応したスルーホール群６２ａ，６２ｂ，６２ｃがそれぞれ設けられている。これらのスルーホール群６２ａ，６２ｂ，６２ｃは、ラバースイッチ部品４０をプリント基板５０に固定した状態では、ラバースイッチ部品４０の本体部４２の下方にそれぞれ位置する。したがって、全てのラバースイッチ部品４０の本体部４２により形成される内部空間は、スルーホール群６２ａ，６２ｂ，６２ｃを介して、プリント基板５０の下方の外部空間と連通する。このスルーホール群６２ａ，６２ｂ，６２ｃは、導線パターン（線群）６３ａ，６３ｂ，６３ｃを介して第１乃至第３固定接点パターン群５２ａ，５２ｂ，５２ｃの他端５２ａ２，５２ｂ２，５２ｃ２にそれぞれ接続されている。導線パターン６３ａ，６３ｂ，６３ｃは、第１乃至第３固定接点パターン群５２ａ，５２ｂ，５２ｃの側方にて他端５２ａ２，５２ｂ２，５２ｃ２から後方に延設されている。
【００４３】
線群５７は、第１乃至第３固定接点パターン５２ａ，５２ｂ，５２ｃに対応した６本ずつの３組の線群５７ａ，５７ｂ，５７ｃに分けられる。３組の線群５７ａ，５７ｂ，５７ｃは、第１乃至第６ノートＮＴ１〜ＮＴ６にそれぞれ対応するもので、第１乃至第３固定接点パターン群５２ａ，５２ｂ，５２ｃごとに、第１乃至第１５ブロックＢＬ１〜ＢＬ１５からなる各ブロック内の１つずつの第１乃至第３固定接点パターン５２ａ，５２ｂ，５２ｃに対応する。１組目の線群５７ａのそれぞれには、第１固定接点パターン群５２ａの第１乃至第６ノートＮＴ１〜ＮＴ６に対応したスルーホール群６４ａが設けられている。２組目の線群５７ｂのそれぞれには、第２固定接点パターン群５２ｂの第１乃至第６ノートＮＴ１〜ＮＴ６に対応したスルーホール群６４ｂが設けられている。３組目の線群５７ｃのそれぞれには、第３固定接点パターン群５２ｃの第１乃至第６ノートＮＴ１〜ＮＴ６に対応したスルーホール群６４ｃが設けられている。
【００４４】
さらに、１組目の線群５７ａのそれぞれには、第１乃至第６ノートＮＴ１〜ＮＴ６に対応したスルーホール群６５ａが設けられている。２組目の線群５７ｂのそれぞれには、第１乃至第６ノートＮＴ１〜ＮＴ６に対応したスルーホール群６５ｂが設けられている。３組目の線群５７ｃのそれぞれには、第１乃至第６ノートＮＴ１〜ＮＴ６に対応したスルーホール群６５ｃが設けられている。ただし、スルーホール群６５ｂ，６５ｃは、図示省略したプリント基板５０の部分に設けられており、図示されていない。
【００４５】
次に、プリント基板５０の下面５０Ｂの構成について説明すると、下面５０Ｂには、図４の電気回路で説明した走査回路５５が配置されている。走査回路５５は、比較的薄い平板状かつ方形状に形成され、プリント基板５０の左右方向においてほぼ中央位置に前端及び後端の対向辺をプリント基板５０の延設方向と平行にして、前端の一部を線群５７の一部と対向させて位置する。なお、この走査回路５５の位置には、前述したラバースイッチ部品４０を取り付けるための取付け孔５１は設けられていない。走査回路５５は、導線パターンで構成されて第１乃至第１５ブロックＢＬ１〜ＢＬ１５にそれぞれ対応した線群６６を介して、スルーホール群６１に接続されている。なお、線群５６、導線パターン５８、スルーホール６１及び線群６６が、図４の電気回路のブロック線Ｂ１〜Ｂ１５に対応する。
【００４６】
プリント基板５０の下面５０Ｂには、３組のスルーホール群６２ａ，６２ｂ，６２ｃと３組のスルーホール群６４ａ，６４ｂ，６４ｃとをそれぞれ接続する導線パターンで構成された３組の線群６７ａ，６７ｂ，６７ｃが設けられている。線群６７ａ，６７ｂ，６７ｃは、一端にてスルーホール群６２ａ，６２ｂ，６２ｃに接続され、下面５０Ｂの後端部近傍にて第１乃至第３ダイオード群５３ａ，５３ｂ，５３ｃをそれぞれ介装させ、他端をスルーホール群６４ａ，６４ｂ，６４ｃに接続させている。第１乃至第３ダイオード群５３ａ，５３ｂ，５３ｃは、図４の電気回路で説明したものであり、線群６７ａ，６７ｂ，６７ｃの一部を切離して一対の端部にランドを形成しておき、ランド上にペースト状のクリーム半田を塗布し、パターン形成したダイオード部材をクリーム半田の上に載せて熱した後に冷やして固めることにより下面５０Ｂ上に設けられる。この第１乃至第３ダイオード群５３ａ，５３ｂ，５３ｃは、隣接したスルーホール群６２ａ，６２ｂ，６２ｃの間にて、前後方向に延設されて、第１固定接点パターン群５２ａの前端よりも後方に位置するとともに、その前端はスルーホール群６２ｃよりも若干前方に位置する。
【００４７】
３組の線群６７ａ，６７ｂ，６７ｃのうち、左端以外であって走査回路５５の左側に位置する線群６７ａ，６７ｂ，６７ｃは、第１乃至第３ダイオード群５３ａ，５３ｂ，５３ｃの下端近傍位置から左方向に延設され、左方向に延設された延設部分の外側端にて前方に延設させている。３組の線群６７ａ，６７ｂ，６７ｃのうち、右端以外であって走査回路５５の右側に位置する線群６７ａ，６７ｂ，６７ｃは、第１乃至第３ダイオード群５３ａ，５３ｂ，５３ｃの下端近傍位置から右方向に延設され、右方向に延設された延設部分の外側端にて前方に延設させている。これにより、プリント基板５０の下面５０Ｂの左右方向の中央部に走査回路５５を配置するためのスペースが設けられる。
【００４８】
また、プリント基板５０の下面５０Ｂには、３組のスルーホール群６５ａ，６５ｂ，６５ｃと走査回路５５を接続する導線パターンで構成された３組の線群６８ａ，６８ｂ，６８ｃが設けられている。ただし、スルーホール群６５ｂ，６５ｃは前述したように図示省略されており、線群６８ｂ，６８ｃは、走査回路５５への接続部分が図示されているのみである。なお、線群６７ａ、スルーホール群６４ａ、線群５７ａ、スルーホール群６５ａ及び線群６８ａが、図４の電気回路の第１ノート線群Ｎ１１〜Ｎ１６に対応する。線群６７ｂ、スルーホール群６４ｂ、線群５７ｂ、スルーホール群６５ｂ及び線群６８ｂが、図４の電気回路の第２ノート線群Ｎ２１〜Ｎ２６に対応する。線群６７ｃ、スルーホール群６４ｃ、線群５７ｃ、スルーホール群６５ｃ及び線群６８ｃが、図４の電気回路の第３ノート線群Ｎ３１〜Ｎ３６に対応する。
【００４９】
スルーホール群６５ａ，６５ｂ，６５ｃ（すなわち、線群６８ａ，６８ｂ，６８ｃ）には、第１乃至第３抵抗群５４ａ，５４ｂ，５４ｃを介装させた導線パターン群７１ａ，７１ｂ，７１ｃの一端がそれぞれ接続されている。導線パターン群７１ａの他端は、一本の導線パターン７２ａを介して、図示省略したプリント基板５０の部分に設けた共通の電圧供給端子に接続されている。導線パターン群７１ｂ，７１ｃの他端も、各一本の導線パターン７２ｂ，７２ｃをそれぞれ介して、図示省略したプリント基板５０の部分に設けたコネクタの電源端子に接続されている。なお、第１乃至第３抵抗群５４ａ，５４ｂ，５４ｃは図４の電気回路で説明したものであり、前述した第１乃至第３ダイオード群５３ａ，５３ｂ，５３ｃと同様に、導線パターン群７１ａ，７１ｂ，７１ｃの一部を切離しておいて一対の端部にランドを形成しておき、ランド上にペースト状のクリーム半田を塗布し、パターン形成した抵抗部材をクリーム半田の上に載せて熱した後に冷やして固めることにより下面５０Ｂ上に設けられる。ただし、第２及び第３抵抗群５４ｂ，５４ｃ、導線パターン群７１ｂ，７１ｃ、並びに導線パターン７２ｂ，７２ｃは、図示省略したプリント基板５０の部分に設けられており、図示省略されている。
【００５０】
前記のように構成したプリント基板５０においては、上面５０Ａに、第１乃至第３固定接点パターン群５２ａ，５２ｂ，５２ｃをプリント基板５０の左右方向（長手方向）に沿って配置するとともに、前後方向において線群５６及び線群５７（５７ａ，５７ｂ，５７ｃ）を第１乃至第３固定接点パターン群５２ａ，５２ｂ，５２ｃを挟んでプリント基板５０の左右方向に延設させて配置するようにした。また、プリント基板５０の下面５０Ｂには、第１乃至第３ダイオード群５３ａ，５３ｂ，５３ｃを介装した線群６７ａ，６７ｂ，６７ｃを設け、スルーホール群６２ａ，６２ｂ，６２ｃ及びスルーホール群６４ａ，６４ｂ，６４ｃを介して、線群５６に一端を接続した第１乃至第３固定接点パターン群５２ａ，５２ｂ，５２ｃの他端を線群５７（５７ａ，５７ｂ，５７ｃ）に接続するようにした。したがって、走査回路５５からの複数の操作子の操作状態を検出するための走査信号を線群５６に入力すれば、第１乃至第３固定接点パターン群５２ａ，５２ｂ，５２ｃによって検出された複数の鍵３１ｗ，３１ｂの動作状態（すなわち第１乃至第３固定接点パターン群５２ａ，５２ｂ，５２ｃの走査結果）を表す信号を、スルーホール群６２ａ，６２ｂ，６２ｃ、線群６７ａ，６７ｂ，６７ｃ及びスルーホール群６４ａ，６４ｂ，６４ｃを介して、線群５７（５７ａ，５７ｂ，５７ｃ）に出力させることができ、第１乃至第３固定接点パターン群５２ａ，５２ｂ，５２ｃの走査が可能となる。この場合、線群５６、線群５７（５７ａ，５７ｂ，５７ｃ）及び線群６７ａ，６７ｂ，６７ｃは、プリント配線技術によりプリント基板（絶縁基板）５０上にパターン形成すればよい。また、スルーホール群６２ａ，６２ｂ，６２ｃ及びスルーホール群６４ａ，６４ｂ，６４ｃを、プリント基板５０に設ければよい。したがって、上記実施形態によれば、プリント基板（電気回路基板）５０を作業効率よく簡単に製造できる。
【００５１】
また、上記実施形態においては、前記線群５６、線群５７（５７ａ，５７ｂ，５７ｃ）及び線群６７ａ，６７ｂ，６７ｃに加えて、線群６６及び線群６８ａ，６８ｂ，６８ｃをプリント基板５０の下面５０Ｂに設けた。そして、スルーホール群６１及びスルーホール群６５ａ，６５ｂ，６５ｃを介して、線群５６と線群６６を接続するとともに、線群５７ａ，５７ｂ，５７ｃと線群６８ａ，６８ｂ，６８ｃを接続するようにした。したがって、線群６６に前記走査信号を入力すれば、走査信号は、スルーホール６１及び線群５６を介して第１乃至第３固定接点パターン群５２ａ，５２ｂ，５２ｃに供給される。また、複数の第１乃至第３固定接点パターン群５２ａ，５２ｂ，５２ｃの走査結果を表す信号は、スルーホール群６２ａ，６２ｂ，６２ｃ、線群６７ａ，６７ｂ，６７ｃ、スルーホール群６４ａ，６４ｂ，６４ｃ、線群５７ａ，５７ｂ，５７ｃ及びスルーホール群６５ａ，６５ｂ，６５ｃを介して、線群６８ａ，６８ｂ，６８ｃに出力させることができ、第１乃至第３固定接点パターン群５２ａ，５２ｂ，５２ｃの走査が可能となる。この場合も、線群６６及び線群６８ａ，６８ｂ，６８ｃをプリント配線技術により絶縁基板上にパターン形成すればよいし、スルーホール群６１及びスルーホール群６５ａ，６５ｂ，６５ｃを絶縁基板に設ければよい。これによっても、プリント基板５０を作業効率よく簡単に製造できる。さらに、プリント基板５０の下面５０Ｂには、線群６６、線群６７ａ，６７ｂ，６７ｃ及び線群６８ａ，６８ｂ，６８ｃしか設けられておらず、スルーホール群６２ａ，６２ｂ，６２ｃとスルーホール群６４ａ，６４ｂ，６４ｃとの間に大きなスペースを確保できる。その結果、プリント基板５０の下面５０Ｂには、走査回路５５（又は走査回路５５に接続されたコネクタ）を余裕をもって配置できる。また、これにより、第１乃至第３固定接点パターン群５２ａ，５２ｂ，５２ｃによって検出された白鍵３１ｗ及び黒鍵３１ｂの動作を表す信号を、外部回路に直接的に出力することができて、プリント基板５０と外部回路との配線が簡略化される。
【００５２】
また、上記実施形態においては、スルーホール群６２ａ，６２ｂ，６２ｃを、第１固定接点パターン群５２ａの側方に位置させて、線群５６に近い位置であって、線群５７から離した位置に設けた。これにより、第１乃至第２固定接点パターン群５２ａ，５２ｂ，５２ｃの前後方向の長さ（ラバースイッチ部品４０）及び走査回路５５の前後方向の長さがある程度長くても、線群５６から線群５７までの距離を短くでき、プリント基板５０の前後方向の幅を短くでき、プリント基板５０の製造コストを下げることができる。また、スルーホール群６２ａ，６２ｂ，６２ｃ及び第１乃至第３ダイオード群５３ａ，５３ｂ，５３ｃを、線群５６に近くであって、線群５７から離して位置させることにより、プリント基板５０の下面５０Ｂにおいて、スルーホール群６２ａ，６２ｂ，６２ｃとスルーホール群６４ａ，６４ｂ，６４ｃとの間に前後方向に大きなスペースを確保することができる。その結果、前記確保したスペースに、走査回路５５、その周辺回路部品である抵抗群６５ａ，６５ｂ，６５ｃなどの各種部品を余裕をもって配置することができる。
【００５３】
さらに、導線パターン６３ａ，６３ｂ，６３ｃを固定スイッチ群５２ａ，５２ｂ，５２ｃの他端５２ａ２，５２ｂ２，５２ｃ２から後方に延設させて、すなわち導線パターン６３ａ，６３ｂ，６３ｃを線群５６側に延設させて、スルーホール群６２ａ，６２ｂ，６２ｃをプリント基板５０の後端部近傍に位置させるようにした。これにより、スルーホール群６２ａ，６２ｂ，６２ｃを線群５６に近づけることができて、スルーホール群６２ａ，６２ｂ，６２ｃの前方に大きなスペースを確保できる。また、線群６７ａ，６７ｂ，６７ｃを、第１乃至第３ダイオード群５３ａ，５３ｂ，５３ｃ及びスルーホール群６２ａ，６２ｂ，６２ｃの近傍位置、すなわちプリント基板５０の前後方向においてスルーホール群６４ａ，６４ｂ，６４ｃよりもスルーホール群６２ａ，６２ｂ，６２ｃに近い側にて、左右方向に延設させた。そして、前記左右方向に延設させた延設部分の先端から、線群６７ａ，６７ｂ，６７ｃを前方に延設させて、その先端をスルーホール群６４ａ，６４ｂ，６４ｃに接続するようにした。これにより、プリント基板５０の下面における長手方向の適宜箇所に、スルーホール群６２ａ，６２ｂ，６２ｃとスルーホール群６４ａ，６４ｂ，６４ｃとの間に僅かな線群６７ａ，６７ｂ，６７ｃしか存在しないようにすることができる。したがって、プリント基板５０の下面おいて、プリント基板５０の長手方向の適宜箇所に、スルーホール群６２ａ，６２ｂ，６２ｃとスルーホール群６４ａ，６４ｂ，６４ｃとの間であって、左右方向に大きな長さを有するスペースを確保することができる。その結果、これによっても、前記確保したスペースに、走査回路５５、その周辺回路部品である抵抗群６５ａ，６５ｂ，６５ｃなどの各種部品を余裕をもって配置することができる。
【００５４】
また、前記のようなプリント基板５０においては、ラバースイッチ部品４０をプリント基板５０に固定した状態では、スルーホール群６２ａ，６２ｂ，６２ｃがラバースイッチ部品４０の本体部４２により形成される内部空間に連通する位置に設けるようにした。これにより、ラバースイッチ部品４０が白鍵３１ｗの第１乃至第３押圧部３１ｗ２〜３１ｗ４及び黒鍵３１ｂの第１乃至第３押圧部３１ｂ２〜３１ｂ４により押圧及び押圧解除された際には、前記内部空間がスルーホール群６２ａ，６２ｂ，６２ｃを介して外部空間に連通し、前記内部空間内の空気が外部に流出されるとともに、外部からの空気が前記内部空間に流入する。その結果、白鍵３１ｗ及び黒鍵３１ｂの押鍵時にラバースイッチ部品４０のベース部４１の変形により、空気通路４１ｂが狭くなっても、押圧及び押圧解除時のラバースイッチ部品４０の変形動作がスムーズに行われる。
【００５５】
なお、本発明に係る電気回路基板は、上記実施形態に限定されるものではなく、適宜変更して実施することが可能である。
【００５６】
上記実施形態においては、図４に示すように、第１乃至第３固定接点パターン群５２ａ，５２ｂ，５２ｃに対して共通の１組のブロック線群Ｂ１〜Ｂ１５を設け、かつ第１乃至第３固定接点パターン群５２ａ，５２ｂ，５２ｃに対してそれぞれ独立した３組の第１乃至第３ノート線群Ｎ１１〜Ｎ１６，Ｎ２１〜Ｎ２６，Ｎ３１〜Ｎ３６を設けるようにした。しかし、これに代えて、第１乃至第３固定接点パターン群５２ａ，５２ｂ，５２ｃに対してそれぞれ独立した３組のブロック線群Ｂ１〜Ｂ１５を設け、かつ第１乃至第３固定接点パターン群５２ａ，５２ｂ，５２ｃに対して共通の１組のノート線群（例えば、ノート線群Ｎ１１〜Ｎ１６のみ）を設けるようにしてもよい。この場合、走査回路５５は、３組のブロック線群Ｂ１〜Ｂ１５（すなわち４５本のブロック線）を順次接地電位にし、１組のノート線群のいずれかが接地電位になることにより、第１乃至第３固定接点パターン群５２ａ，５２ｂ，５２ｃの一対のパターン間の導通すなわちスイッチのオン状態を検出するようにする。このような変形によれば、プリント基板５０における線群５６及びスルーホール群６１の数が増加するが、線群５７（５７ａ，５７ｂ，５７ｃ）、線群６８ａ，６８ｂ，６８ｃ及びスルーホール群６５ａ，６５ｂ，６５ｃの数を減少させることができる。
【００５７】
また、上記実施形態においては、図４に示すように、走査回路５５は、ブロック線群Ｂ１〜Ｂ１５を順次接地電位にし、第１乃至第３ノート線群Ｎ１１〜Ｎ１６，Ｎ２１〜Ｎ２６，Ｎ３１〜Ｎ３６のいずれかの接地電位を検出して、第１乃至第３固定接点パターン群５２ａ，５２ｂ，５２ｃの一対のパターン間の導通すなわちスイッチのオン状態を検出するようにした。しかし、これに代えて、走査回路５５が、ブロック線群Ｂ１〜Ｂ１５を順次電源電圧にし、第１乃至第３ノート線群Ｎ１１〜Ｎ１６，Ｎ２１〜Ｎ２６，Ｎ３１〜Ｎ３６のいずれかの電源電圧を検出して、第１乃至第３固定接点パターン群５２ａ，５２ｂ，５２ｃの一対のパターン間の導通すなわちスイッチのオン状態を検出するようにしてもよい。この場合、第１乃至第３ダイオード群５３ａ，５３ｂ，５３ｃの向きを逆にするとともに、第１乃至第３ノート線群Ｎ１１〜Ｎ１６，Ｎ２１〜Ｎ２６，Ｎ３１〜Ｎ３６を抵抗群を介して接地するようにする。このような変形に係るプリント基板５０においては、第１乃至第３ダイオード群５３ａ，５３ｂ，５３ｃは線群６７ａ，６７ｂ，６７ｃ内に逆向きに介装されるとともに、一端にて第１乃至第３抵抗群５４ａ，５４ｂ，５４ｃに接続された導線パターン群７１ａ，７１ｂ，７１ｃの他端は導線パターン７２ａ，７２ｂ，７２ｃを介して接地される。なお、この変形例においても、前記変形例のように、第１乃至第３固定接点パターン群５２ａ，５２ｂ，５２ｃに対してそれぞれ独立した３組のブロック線群Ｂ１〜Ｂ１５を設け、かつ第１乃至第３固定接点パターン群５２ａ，５２ｂ，５２ｃに対して共通の１組のノート線群（例えば、ノート線群Ｎ１１〜Ｎ１６のみ）を設けるようにしてもよい。
【００５８】
また、上記実施形態においては、走査回路５５は、ブロック線群Ｂ１〜Ｂ１５を順次接地電位にし、第１乃至第３ノート線群Ｎ１１〜Ｎ１６，Ｎ２１〜Ｎ２６，Ｎ３１〜Ｎ３６のいずれかの接地電位を検出して、第１乃至第３固定接点パターン群５２ａ，５２ｂ，５２ｃの一対のパターン間の導通を検出するようにした。また、前記変形例では、走査回路５５は、ブロック線群Ｂ１〜Ｂ１５を順次電源電圧にし、第１乃至第３ノート線群Ｎ１１〜Ｎ１６，Ｎ２１〜Ｎ２６，Ｎ３１〜Ｎ３６のいずれかの電源電圧を検出して、第１乃至第３固定接点パターン群５２ａ，５２ｂ，５２ｃの一対のパターン間の導通を検出するようにした。すなわち、ブロック線群Ｂ１〜Ｂ１５を第１乃至第３固定接点パターン群５２ａ，５２ｂ，５２ｃの一対のパターン間の導通検出のための制御信号の入力側とし、第１乃至第３ノート線群Ｎ１１〜Ｎ１６，Ｎ２１〜Ｎ２６，Ｎ３１〜Ｎ３６を前記導通検出のための検出側とした。しかし、第１乃至第３ノート線群Ｎ１１〜Ｎ１６，Ｎ２１〜Ｎ２６，Ｎ３１〜Ｎ３６を前記導通検出のための制御信号の入力側とし、ブロック線群Ｂ１〜Ｂ１５を前記導通検出のための検出側としてもよい。
【００５９】
この場合、図４において、第１乃至第３抵抗群５４ａ，５４ｂ，５４ｃ及び電源電圧＋Ｖを省略して、ブロック線群Ｂ１〜Ｂ１５を抵抗を介してそれぞれ接地する。そして、走査回路５５は、第１乃至第３ノート線群Ｎ１１〜Ｎ１６，Ｎ２１〜Ｎ２６，Ｎ３１〜Ｎ３６を順次電源電圧にし、ブロック線群Ｂ１〜Ｂ１５のいずれかの電源電圧を検出して、第１乃至第３固定接点パターン群５２ａ，５２ｂ，５２ｃの一対のパターン間の導通を検出するようにする。この場合、図３Ａ及び図３Ｂのプリント基板５０においては、電源電圧＋Ｖに接続された第１乃至第３抵抗群５４ａ，５４ｂ，５４ｃを省略し、線群５６を抵抗群を介して接地する。また、この変形例において、第１乃至第３ダイオード群５３ａ，５３ｂ，５３ｃを逆向きにするとともに、線群５６を抵抗群を介して電源電圧＋Ｖに接続してもよい。そして、この場合には、走査回路５５は、第１乃至第３ノート線群Ｎ１１〜Ｎ１６，Ｎ２１〜Ｎ２６，Ｎ３１〜Ｎ３６を順次接地し、ブロック線群Ｂ１〜Ｂ１５のいずれかの接地電位を検出して、第１乃至第３固定接点パターン群５２ａ，５２ｂ，５２ｃの一対のパターン間の導通を検出するようにする。さらに、この変形例においても、前記変形例のように、第１乃至第３固定接点パターン群５２ａ，５２ｂ，５２ｃに対してそれぞれ独立した３組のブロック線群Ｂ１〜Ｂ１５を設け、かつ第１乃至第３固定接点パターン群５２ａ，５２ｂ，５２ｃに対して共通の１組のノート線群（例えば、ノート線群Ｎ１１〜Ｎ１６のみ）を設けるようにしてもよい。
【００６０】
また、上記実施形態及び前記各種変形例において、第１乃至第３固定接点パターン群５２ａ，５２ｂ，５２ｃと第１乃至第３ダイオード群５３ａ，５３ｂ，５３ｃとの直列接続の順番を逆にしてもよい。また、この第１乃至第３固定接点パターン群５２ａ，５２ｂ，５２ｃに接続された第１乃至第３ダイオード群５３ａ，５３ｂ，５３ｃを省略してもよい。実際には、第１乃至第３ダイオード群５３ａ，５３ｂ，５３ｃを省略すると、回り込み現象により、第１乃至第３固定接点パターン群５２ａ，５２ｂ，５２ｃの一対のパターン間の導通検出が正確に行われないが、玩具等として用いられる電子鍵盤楽器においては高度な正確さを要求されない場合もあるので、その場合には、第１乃至第３ダイオード群５３ａ，５３ｂ，５３ｃを省略してもよい。
【００６１】
また、上記実施形態においては、楽音の減衰制御、楽音の鍵タッチ制御及び楽音の発生開始制御のために第１乃至第３固定接点パターン群５２ａ，５２ｂ，５２ｃを設けるようにした。しかし、楽音の減衰制御及び楽音の鍵タッチ制御の一方を省略する場合には、第１乃至第３固定接点パターン群５２ａ，５２ｂ，５２ｃのうちの２組の固定接点パターン群を設けるだけでよい。この場合、図３Ａ及び図３Ｂのプリント基板５０においては、第１及び第２固定接点パターン群５２ａ，５２ｂの位置に２組の固定接点パターン群を設けるようにすればよい。これによれば、種々の線群及び導線パターン群の数を減らすことができて、プリント基板５０の前後方向の幅をさらに小さくできる。また、本発明は、１組のみの固定接点パターン群のみを有し、楽音の発生開始のみを制御する電子鍵盤楽器にも適用される。この場合、図３Ａ及び図３Ｂのプリント基板５０においては、第１固定接点パターン群５２ａの位置に１組の固定接点パターン群を設けるようにすればよい。これによれば、種々の線群及び導線パターン群の数をさらに減らすことができて、プリント基板５０の前後方向の幅をさらに小さくできる。
【００６２】
また、上記実施形態においては、スルーホール群６２ａ，６２ｂ，６２ｃ及び第１乃至第３ダイオード群５３ａ，５３ｂ，５３ｃを、プリント基板５０の前後方向において、第１固定接点パターン群５２ａの前端よりも後方に位置させるようにした。しかし、プリント基板５０の下面に走査回路５５及び線群６７ａ，６７ｂ，６７ｃを配置させることができるならば、スルーホール群６２ａ，６２ｂ，６２ｃ及び第１乃至第３ダイオード群５３ａ，５３ｂ，５３ｃの位置を、上記実施形態の場合よりも前方に位置させてもよい。たとえば、スルーホール群６２ａ，６２ｂ，６２ｃ及び第１乃至第３ダイオード群５３ａ，５３ｂ，５３ｃを、プリント基板５０の前後方向において、第２固定接点パターン群５２ｂの前端よりも後方に位置させるようにしてもよい。また、スルーホール群６２ａ，６２ｂ，６２ｃ及び第１乃至第３ダイオード群５３ａ，５３ｂ，５３ｃを、プリント基板５０の前後方向において、少なくとも第３固定接点パターン群５２ｃの前端よりも後方に位置させるようにすればよい。さらに、言い換えれば、スルーホール群６２ａ，６２ｂ，６２ｃ及び第１乃至第３ダイオード群５３ａ，５３ｂ，５３ｃを、プリント基板５０の前後方向において、線群５７（５７ａ，５７ｂ，５７ｃ）よりも線群５６に近い位置に配置されるようにすればよい。具体的には、スルーホール群６２ａ，６２ｂ，６２ｃ及び第１乃至第３ダイオード群５３ａ，５３ｂ，５３ｃの前後方向の中央位置が線群５７（５７ａ，５７ｂ，５７ｃ）の後端と線群５６の前端の間の中央位置よりも後方に位置させるようにすればよい。
【００６３】
また、上記実施形態においては、１オクターブ内のＡ音〜Ｄ音及びＤ＃音〜Ｇ＃音からなる６音をそれぞれ１ブロックとするようにした。しかし、このブロック分けに関しては、種々の変更が可能である。たとえば、音名に関係なく、低音側から所定数ずつ（例えば、１０音ずつ）を第１ブロック、第２ブロックなどにブロック分けするようにしてもよい。また、異なるオクターブに属し、同一音名ごとにブロック分けするようにしてもよい。すなわち、Ａ音、Ｄ音・・Ｇ＃音ごとに複数のオクターブに渡ってブロック分けしてもよい。
【００６４】
また、上記実施形態においては、本発明に係る電気回路基板を８８個の白鍵３１ｗ及び黒鍵３１ｂを有する電子鍵盤楽器に適用した例を示した。しかし、本発明に係る電気回路基板は、８８個以外の鍵数を有する電子鍵盤楽器に適用され得る。
【００６５】
また、上記実施形態においては、ラバースイッチ部品４０のベース部４１に空気通路４１ｂを設けるとともに、ラバースイッチ部品４０をプリント基板５０に固定した状態では、スルーホール群６２ａ，６２ｂ，６２ｃがラバースイッチ部品４０の本体部４２により形成される内部空間に連通する位置に設けるようにした。しかし、白鍵３１ｗ及び黒鍵３１ｂの押鍵及び離鍵時におけるスルーホール群６２ａ，６２ｂ，６２ｃを介した前記内部空間と外部との間の空気の流入出量が充分であれば、ベース部４１の空気通路４１ｂを省略してもよい。この場合でも、白鍵３１ｗ及び黒鍵３１ｂの押鍵時におけるラバースイッチ部品４０の変形動作がスムーズに行われる。
【００６６】
また、上記実施形態においては、ベース部４１の下面に設けた脚部４７をプリント基板５０の取付け孔５１に圧入することにより、ラバースイッチ部品４０をプリント基板５０に組み付け固定するようにした。しかし、ラバースイッチ部品４０をプリント基板５０に固定するためには、前記以外の種々の方法を採用することができる。例えば、ラバースイッチ部品４０のベース部４１に貫通孔を設けて、プリント基板５０側に設けた固定部材を圧入してラバースイッチ部品４０をプリント基板５０に固定するようにしてもよいし、接着剤を用いてラバースイッチ部品４０をプリント基板５０に固定するようにしてもよい。
【００６７】
また、上記実施形態においては、白鍵３１ｗ及び黒鍵３１ｂにより直接的にラバースイッチ部品４０を変形させての第１乃至第３固定接点パターン群５２ａ，５２ｂ，５２ｃの一対のパターン間の導通させるようにした。しかし、これに代えて、ハンマー、搖動レバーなどのように白鍵３１ｗ及び黒鍵３１ｂに連動する連動部材を設けて、ラバースイッチ部品４０を組み付けたプリント基板５０を前記連動部材に対向させて配置し、白鍵３１ｗ及び黒鍵３１ｂの押鍵操作時に、ラバースイッチ部品４０を前記連動部材により変形させて、第１乃至第３固定接点パターン群５２ａ，５２ｂ，５２ｃの一対のパターン間の導通を検出するようにしてもよい。この場合、プリント基板５０の組付け状態に関係して、プリント基板５０の上面５０Ａ及び下面５０Ｂが逆になる場合もある。
【００６８】
また、上記実施形態においては、図２を用いて説明した形状のラバースイッチ部品４０をプリント基板５０に組付けて、白鍵３１ｗ及び黒鍵３１ｂの押離鍵操作、すなわち白鍵３１ｗ及び黒鍵３１ｂの動作状態を検出するようにした。しかし、ラバースイッチ部品４０を上記実施形態とは異なる形状及び材料で構成して、プリント基板５０に組付けるようにしてもよい。
【００６９】
また、ラバースイッチ部品４０によってオン・オフ制御される第１乃至第３固定接点パターン群５２ａ，５２ｂ，５２ｃの全部又は一部に代えて、白鍵３１ｗ及び黒鍵３１ｂの動作状態を検出できるものであれば、種々のセンサを本発明の検出器として用いることもできる。例えば、押離鍵操作に関係して白鍵３１ｗ（及び黒鍵３１ｂ）又は前記連動部材の位置を検出する位置センサ、白鍵３１ｗ（及び黒鍵３１ｂ）又は前記連動部材の押圧力を検出する圧力センサなどの各種検出器を用いることもできる。この場合には、走査回路５５には、Ａ／Ｄ変換器など回路部品も含まれる。
【００７０】
また、上記実施形態においては、プリント基板５０に走査回路５５を設けるようにした。また、プリント基板５０を複数に分割して複数の基板で構成する場合には、プリント基板５０の長手方向の端部にそれぞれコネクタを設けて、走査回路５５を有さないプリント基板と走査回路５５とを接続するようにした。しかし、一つのプリント基板５０で構成する場合でも、複数のプリント基板で構成する場合でも、プリント基板にコネクタを設けて、本願のプリント基板５０の外部に設けた走査回路と、走査に関係する信号の授受を行うようにしてもよい。
【００７１】
さらに、上記実施形態においては、本発明を電子鍵盤楽器に適用した例について説明した。しかし、本発明は、電子鍵盤楽器以外でも、複数の操作子を有する種々の装置に適用され得る。この場合、複数の操作子に対応した複数の検出器（スイッチ）をプリント基板５０上に、複数の操作子の配列方向に配置するようにすればよい。
【符号の説明】
【００７２】
３１ｗ…白鍵、３１ｂ…黒鍵、４０…ラバースイッチ部品、４１ｂ…空気通路、４６ａ，４６ｂ，４６ｃ…第１乃至第３可動接点部、５０…プリント基板（電気回路基板、絶縁基板）、５１…取付け孔、５２ａ，５２ｂ，５２ｃ…第１乃至第３固定接点パターン群（第１乃至第３鍵スイッチ群）、５３ａ，５３ｂ，５３ｃ…第１乃至第３ダイオード群、５４ａ，５４ｂ，５４ｃ…第１乃至第３抵抗群、５５…走査回路、５６…線群、５７，５７ａ〜５７ｃ…線群、６１…スルーホール群、６２ａ，６２ｂ，６２ｃ…スルーホール群、６４ａ，６４ｂ，６４ｃ…スルーホール群、６５ａ，６５ｂ，６５ｃ…スルーホール群、６６…線群、６７ａ，６７ｂ，６７ｃ…線群、６８ａ，６８ｂ，６８ｃ…線群、Ｂ１〜Ｂ１５…ブロック線群、Ｎ１１〜Ｎ１６，Ｎ２１〜Ｎ２６，Ｎ３１〜Ｎ３６…第１乃至第３ノート線群
【図１】
2016082188.tif 000003
【図２】
2016082188.tif 000004
【図３Ａ】
2016082188.tif 000005
【図３Ｂ】
2016082188.tif 000006
【図４】
2016082188.tif 000007